【手続補正書】
【提出日】平成17年1月14日(2005.1.14)
【手続補正１】
【補正対象書類名】明細書
【補正対象項目名】特許請求の範囲
【補正方法】変更
【補正の内容】
【特許請求の範囲】
【請求項１】
基準となるべきタイムゾーンを特定する基準ゾーン情報が記録されている記録媒体に、ビデオオブジェクトを書き込む記録装置であって、
所定のタイムゾーンを基準として時刻を計時している時計部と、
基準ゾーン情報により特定されるタイムゾーンと、時計部におけるタイムゾーンとが一致していない場合、当該時計部により計時された時刻を、基準ゾーン情報のタイムゾーンを基準とした時刻に変換する変換手段と、
タイムゾーンが一致していない場合、タイムゾーンが不一致である旨を示すフラグ(LOCAL_TZ_TY)と、変換手段により変換された時刻を示す記録時情報(VOB_REC_TM)と、時計部におけるタイムゾーンをローカルゾーンとして特定するローカルゾーン情報(LOCAL_TZ)とを含む管理情報を、ビデオオブジェクトに対応づけて記録媒体に書き込む書込手段と
を備えることを特徴とする記録装置。
【請求項２】
基準ゾーン情報により特定されるタイムゾーンと、時計部におけるタイムゾーンとが一致している場合、
前記書込手段により書き込まれるフラグ(LOCAL_TZ_TY)は、
タイムゾーンが一致している旨を示し、前記記録時情報(VOB_REC_TM)は、時計部により計時されている時刻を示す
ことを特徴とする請求項１記載の記録装置。
【請求項３】
前記基準ゾーン情報は、ユニバーサル時刻と、基準タイムゾーンの標準時との時差を示す情報であり、
前記ローカルゾーン情報(LOCAL_TZ)はユニバーサル時刻とローカルゾーンの標準時との時差を示す情報である
ことを特徴とする請求項１記載の記録装置。
【請求項４】
前記変換手段の変換により得られる時刻は、
時計部が計時している時刻から、ローカルゾーン情報(LOCAL_TZ)に示される時差を差し引き、基準ゾーン情報に示される時差を加えた時刻を示す
ことを特徴とする請求項３記載の記録装置。
【請求項５】
前記記録装置は、
前記記録されたビデオオブジェクトを、先のビデオオブジェクトと、後のビデオオブジェクトとに分割編集する制御手段を更に備え、
前記書込手段は更に、前記分割編集時において、後のビデオオブジェクトについての管理情報を書き込み、
前記後のビデオオブジェクトの管理情報において、フラグ及びローカルゾーン情報は、
分割前のビデオオブジェクトについてのフラグ及びローカルゾーン情報と同一値であり、
前記後のビデオオブジェクトの管理情報において記録時情報は、
先のビデオオブジェクトについての記録時情報を、先のビデオオブジェクトの再生時間長に基づき修正することにより得られる値である
ことを特徴とする請求項１記載の記録装置。
【請求項６】
前記分割編集は、
記録されたビデオオブジェクトの途中部分を削除することによりなされる場合、当該後のビデオオブジェクトについての管理情報において記録時情報は、
先のビデオオブジェクトについての記録時情報を、先のビデオオブジェクトの再生時間長と、部分削除された時間長とに基づき修正することにより得られる値になる
ことを特徴とする請求項５記載の記録装置。
【請求項７】
タイムゾーンを特定する基準ゾーン情報と、基準ゾーン情報を基準にしてビデオオブジェクトが記録された時刻を表した記録時情報(VOB_REC_TM)と、フラグ(LOCAL_TZ_TY)とを含む管理情報が記録された記録媒体についての再生装置であって、
フラグ(LOCAL_TZ_TY)の設定値を参照することにより、ビデオオブジェクトを記録媒体に書き込んだ記録装置の時計部は、基準ゾーン情報により特定されるタイムゾーンを基準としていたか、別のタイムゾーンであるローカルゾーンを基準としていたかを判定する判定手段と、
ローカルゾーンを基準としている場合、記録時情報(VOB_REC_TM)に示される時刻を、前記ローカルゾーンを基準とした記録時刻に変換して表示しつつ、ビデオオブジェクトの再生を行う再生手段と
を備えることを特徴とする再生装置。
【請求項８】
前記時計部が基準ゾーン情報により特定されるタイムゾーンを基準としていると判定手段が判定した場合、
前記再生手段は、記録時情報(VOB_REC_TM)に示される時刻を表示しつつ、ビデオオブジェクトの再生を行う
ことを特徴とする請求項７記載の再生装置。
【請求項９】
前記基準ゾーン情報は、ユニバーサル時刻と、基準タイムゾーンの標準時との時差を示す情報であり、
前記ローカルゾーン情報(LOCAL_TZ)はユニバーサル時刻とローカルゾーンの標準時との時差を示す情報である
ことを特徴とする請求項７記載の再生装置。
【請求項１０】
前記再生手段の変換により得られる時刻は、
当該記録時情報(VOB_REC_TM)により示される時刻から、基準ゾーン情報に示される時差を差し引き、ローカルゾーン情報(LOCAL_TZ)に示される時差を加えた時刻を示す
ことを特徴とする請求項９記載の再生装置。
【請求項１１】
前記再生手段は、
ビデオオブジェクトの再生により得られる再生画像上に、記録時刻の表示を重ね合わせる合成部を含む
ことを特徴とする請求項７記載の再生装置。
【請求項１２】
前記ビデオオブジェクトは、複数のピクチャデータからなる動画データであり、
前記再生手段は
動画データの再生経過時間を計数する計数部と、
ビデオオブジェクトの再生画像上における記録時刻表示を、再生経過時間に伴い更新する更新部と
を備えることを特徴とする請求項１１記載の再生装置。
【請求項１３】
前記記録媒体には、複数のビデオオブジェクトが記録されており、
前記再生手段は、
付加された記録時情報(VOB_REC_TM)が新しい順、又は、古い順に各ビデオオブジェクトを再生する
ことを特徴とする請求項７記載の再生装置。
【請求項１４】
タイムゾーンを特定する基準ゾーン情報と、ビデオオブジェクトとが記録された記録媒体であって、
前記ビデオオブジェクトには
前記タイムゾーンを基準とした時計部を有する記録装置により書き込まれた第１のタイプと、
前記タイムゾーンとは別のタイムゾーンを基準とした時計部を有する記録装置により書き込まれた第２のタイプとがあり、
何れのタイプのビデオオブジェクトにも、基準ゾーン情報により特定されるタイムゾーンを基準とした記録時情報(VOB_REC_TM)と、フラグ(LOCAL_TZ_TY)とが付加されて記録されていて、
前記フラグ(LOCAL_TZ_TY)は、対応するビデオオブジェクトが第１のタイプ、第２のタイプの何れであるかを示し、
第２のタイプのビデオオブジェクトには、
前記別のタイムゾーンをローカルオフセットとして特定するローカルゾーン情報(LOCAL_TZ)が対応づけられて記録されていることを特徴とする記録媒体。
【請求項１５】
基準となるべきタイムゾーンを特定する基準ゾーン情報が記録されている記録媒体にビデオオブジェクトを書き込む手順を、時計部有するコンピュータに行わせる記録プログラムであって、
基準ゾーン情報により特定されるタイムゾーンと、時計部におけるタイムゾーンとが一致していない場合、当該時計部により計時された時刻を、基準ゾーン情報のタイムゾーンを基準とした時刻に変換する変換ステップと、
タイムゾーンが一致していない場合、タイムゾーンが不一致である旨を示すフラグ(LOCAL_TZ_TY)と、変換ステップにより変換された時刻を示す記録時情報(VOB_REC_TM)と、時計部におけるタイムゾーンをローカルゾーンとして特定するローカルゾーン情報(LOCAL_TZ)とを含む管理情報を、ビデオオブジェクトに対応づけて記録媒体に書き込む書込ステップと
からなることを特徴とする記録プログラム。
【請求項１６】
前記基準ゾーン情報により特定されるタイムゾーンと、時計部におけるタイムゾーンとが一致している場合、
書込ステップにより書き込まれる前記フラグ(LOCAL_TZ_TY)は、タイムゾーンが一致している旨を示し、前記記録時情報(VOB_REC_TM)は、時計部により計時されている時刻を示す
ことを特徴とする請求項１５記載の記録プログラム。
【請求項１７】
前記基準ゾーン情報は、ユニバーサル時刻と、基準タイムゾーンの標準時との時差を示す情報であり、
前記ローカルゾーン情報(LOCAL_TZ)はユニバーサル時刻とローカルゾーンの標準時との時差を示す情報である
ことを特徴とする請求項１５記載の記録プログラム。
【請求項１８】
前記変換ステップの変換により得られる時刻は、
時計部が計時している時刻から、ローカルゾーン情報(LOCAL_TZ)に示される時差を差し引き、基準ゾーン情報に示される時差を加えた時刻を示す
ことを特徴とする請求項１７記載の記録プログラム。
【請求項１９】
前記記録プログラムは、
前記記録されたビデオオブジェクトを、先のビデオオブジェクトと、後のビデオオブジェクトとに分割編集する制御ステップを更に備え、
前記書込ステップは更に、前記分割編集時において、後のビデオオブジェクトについての管理情報を書き込み、
前記後のビデオオブジェクトの管理情報において、フラグ及びローカルゾーン情報は、
分割前のビデオオブジェクトについてのフラグ及びローカルゾーン情報と同一値であり、
前記後のビデオオブジェクトの管理情報において記録時情報は、
先のビデオオブジェクトについての記録時情報を、先のビデオオブジェクトの再生時間長に基づき修正することにより得られる値である
ことを特徴とする請求項１５記載の記録プログラム。
【請求項２０】
前記分割編集が記録されたビデオオブジェクトの途中部分を削除することによりなされる場合、
当該後のビデオオブジェクトについての管理情報において記録時情報は、
先のビデオオブジェクトについての記録時情報を、先のビデオオブジェクトの再生時間長と、部分削除された時間長とに基づき修正することにより得られる値になる
ことを特徴とする請求項１９記載の記録プログラム。
【請求項２１】
前記請求項１５記載のプログラムが記録されている
ことを特徴とするコンピュータ読み取り可能な記録媒体。
【請求項２２】
タイムゾーンを特定する基準ゾーン情報と、基準ゾーン情報を基準にしてビデオオブジェクトが記録された時刻を表した記録時情報(VOB_REC_TM)と、フラグ(LOCAL_TZ_TY)とを含む管理情報が記録された記録媒体についての再生手順をコンピュータに行わせる再生プログラムであって、
フラグ(LOCAL_TZ_TY)の設定値を参照することにより、ビデオオブジェクトを記録媒体に書き込んだ記録媒体の時計部は、基準ゾーン情報により特定されるタイムゾーンを基準としていたか、別のタイムゾーンであるローカルゾーンを基準としていたかを判定する判定ステップと、
ローカルゾーンを基準としている場合、記録時情報(VOB_REC_TM)に示される時刻を、前記ローカルゾーンを基準とした記録時刻に変換して表示しつつ、ビデオオブジェクトの再生を行う再生ステップと
からなることを特徴とする再生プログラム。
【請求項２３】
前記時計部が基準ゾーン情報により特定されるタイムゾーンを基準としていると判定ステップが判定した場合、
前記再生ステップは、記録時情報(VOB_REC_TM)に示される時刻を表示しつつ、ビデオオブジェクトの再生を行う
ことを特徴とする請求項２２記載の再生プログラム。
【請求項２４】
基準ゾーン情報は、ユニバーサル時刻と、基準タイムゾーンの標準時との時差を示す情報であり、
前記ローカルゾーン情報(LOCAL_TZ)はユニバーサル時刻とローカルゾーンの標準時との時差を示す情報である
ことを特徴とする請求項２２記載の再生プログラム。
【請求項２５】
前記再生ステップの変換により得られる時刻は、
当該記録時情報(VOB_REC_TM)により示される時刻から、基準ゾーン情報に示される時差を差し引き、ローカルゾーン情報(LOCAL_TZ)に示される時差を加えた時刻を示す
ことを特徴とする請求項２４記載の再生プログラム。
【請求項２６】
前記再生ステップは、
ビデオオブジェクトの再生により得られる再生画像上に、記録時刻の表示を重ね合わせる合成サブステップを含む
ことを特徴とする請求項２２記載の再生プログラム。
【請求項２７】
前記ビデオオブジェクトは、複数のピクチャデータからなる動画データであり、
再生ステップは
動画データの再生経過時間を計数する計数サブステップと、
ビデオオブジェクトの再生画像上における記録時刻表示を、再生経過時間に伴い更新する更新サブステップと
からなることを特徴とする請求項２６記載の再生プログラム。
【請求項２８】
前記記録媒体には、複数のビデオオブジェクトが記録されており、
前記再生ステップは、
付加された記録時情報(VOB_REC_TM)が新しい順、又は、古い順に各ビデオオブジェクトを再生する
ことを特徴とする請求項２２記載の再生プログラム。
【請求項２９】
前記請求項２２記載のプログラムが記録されている
ことを特徴とするコンピュータ読み取り可能な記録媒体。
【請求項３０】
基準となるべきタイムゾーンを特定する基準ゾーン情報が記録されている記録媒体に、ビデオオブジェクトを書き込む記録方法であって、
所定のタイムゾーンを基準として時刻を計時している時計部と、
基準ゾーン情報により特定されるタイムゾーンと、時計部におけるタイムゾーンとが一致していない場合、当該時計部により計時された時刻を、基準ゾーン情報のタイムゾーンを基準とした時刻に変換する変換ステップと、
タイムゾーンが一致していない場合、タイムゾーンが不一致である旨を示すフラグ(LOCAL_TZ_TY)と、変換ステップにより変換された時刻を示す記録時情報(VOB_REC_TM)と、時計部におけるタイムゾーンをローカルゾーンとして特定するローカルゾーン情報(LOCAL_TZ)とを含む管理情報を、ビデオオブジェクトに対応づけて記録媒体に書き込む書込ステップと
を含むなることを特徴とする記録方法。
【請求項３１】
前記記録方法は、
前記記録されたビデオオブジェクトを、先のビデオオブジェクトと、後のビデオオブジェクトとに分割編集する制御ステップを更に備え、
前記書込ステップは更に、前記分割編集時において、後のビデオオブジェクトについての管理情報を書き込み、
前記後のビデオオブジェクトの管理情報において、フラグ及びローカルゾーン情報は、
分割前のビデオオブジェクトについてのフラグ及びローカルゾーン情報と同一値であり、
前記後のビデオオブジェクトの管理情報において記録時情報は、
先のビデオオブジェクトについての記録時情報を、先のビデオオブジェクトの再生時間長に基づき修正することにより得られる値である
ことを特徴とする請求項３０記載の記録方法。
【請求項３２】
前記分割編集が記録されたビデオオブジェクトの途中部分を削除することによりなされる場合、
当該後のビデオオブジェクトについての管理情報において記録時情報は、
先のビデオオブジェクトについての記録時情報を、先のビデオオブジェクトの再生時間長と、部分削除された時間長とに基づき修正することにより得られる値になる
ことを特徴とする請求項３１記載の記録プログラム。
【請求項３３】
タイムゾーンを特定する基準ゾーン情報と、基準ゾーン情報を基準にしてビデオオブジェクトが記録された時刻を表した記録時情報(VOB_REC_TM)と、フラグ(LOCAL_TZ_TY)とを含む管理情報が記録された記録媒体についての再生方法であって、
フラグ(LOCAL_TZ_TY)の設定値を参照することにより、ビデオオブジェクトを記録媒体に書き込んだ記録媒体の時計部は、基準ゾーン情報により特定されるタイムゾーンを基準としていたか、別のタイムゾーンであるローカルゾーンを基準としていたかを判定する判定ステップと、
ローカルゾーンを基準としている場合、記録時情報(VOB_REC_TM)に示される時刻を、前記ローカルゾーンを基準とした記録時刻に変換して表示しつつ、ビデオオブジェクトの再生を行う再生ステップと
とを含むことを特徴とする再生方法。